(57)【特許請求の範囲】
【請求項１】
室内に配置される複数の機器と、
前記複数の機器のうちの所定の機器の状態に基づいて、前記所定の機器とは異なる他の機器の運転制御を行う連動モードと、前記所定の機器の状態に基づいて、前記他の機器の運転制御を行わない非連動モードとを実行できる制御手段と、を備え、
前記制御手段は、前記連動モードおよび前記非連動モードのいずれのモードでも、前記複数の機器のうち少なくとも１つの機器の状態を取得し、
前記制御手段は、前記非連動モードにおいて予め取得した前記複数の機器のうち少なくとも１つの機器の状態に基づいて、前記連動モードを実行する、室内機器連携システム。
【請求項２】
前記連動モードに設定させない制御を行うための入力操作を受け付ける操作部をさらに備える、請求項1記載の室内機器連携システム。
【請求項３】
前記複数の機器は、前記室内の空気質を検知する検知器と、前記検知器とは異なる外部機器とを含み、
前記所定の機器の状態は、前記外部機器の駆動状態と前記検知器が検知した空気質の検知状態とのうち少なくとも１つの状態である、請求項１または２に記載の室内機器連携システム。
【請求項４】
前記室内に配置される前記外部機器は、熱により調理を行うための調理器と、前記室内の空気を換気する換気機器とを含み、
前記所定の機器の状態は、前記調理器の駆動状態と前記検知器が検知した空気質の検知状態とのうち少なくとも１つの状態である、請求項３に記載の室内機器連携システム。
【請求項５】
前記他の機器は、少なくとも前記調理器および前記換気機器の一方である、請求項４に記載の室内機器連携システム。
【発明の詳細な説明】
【技術分野】
【０００１】
この発明は、室内機器連携システムに関し、特に、所定の機器の状態に基づいて、所定の機器とは異なる他の機器の運転制御を実行できる室内機器連携システムに関する。
【背景技術】
【０００２】
従来、所定の機器の状態に基づいて、所定の機器とは異なる他の機器の運転制御を実行できる室内機器連携システムが知られている（たとえば、特許文献１参照）。
【０００３】
上記特許文献１には、換気機器などの複数の機器と、各種センサと、制御手段とを備えた室内機器連携システムが開示されている。複数の機器と制御手段とは、電力線（一般家庭用電力線）により接続されている。複数の機器と制御手段とは、電力線を介して、信号のやり取りを行うように構成されている。また、制御手段は、各種センサの状態に基づいて、換気機器などの他の機器を制御するように構成されている。
【先行技術文献】
【特許文献】
【０００４】
【特許文献１】特開２０００−３０４３１４号公報
【発明の概要】
【発明が解決しようとする課題】
【０００５】
しかしながら、上記特許文献１に記載の室内機器連携システムでは、換気機器などの複数の機器と制御手段との連動状態を解除するように構成されていない。このため、複数の機器は、常に制御手段と連動して動作される状態にあるので、結果的に、使用者の意図に沿わない機器制御が行われる可能性がある。
【０００６】
また、複数の機器と制御手段との連動動作を解除可能にした場合、使用者の意図に沿わない機器制御が行われることを抑制できるものの、連動を解除した状態では、複数の機器と制御手段との間で情報の授受が行われない。このため、複数の機器と制御手段とを、連動解除状態から連動状態に変更した場合に、制御手段から複数の機器に対して、円滑に適切な制御を行うことができない可能性がある。
【０００７】
この発明は、使用者の意図に沿った機器の制御を行いつつ、連動解除状態から連動状態に変更された後でも円滑に適切な機器の制御を行うことが可能な室内機器連携システムを提供することである。
【課題を解決するための手段】
【０００８】
この発明の一の局面による室内機器連携システムは、室内に配置される複数の機器と、複数の機器のうちの所定の機器の状態に基づいて、所定の機器とは異なる他の機器の運転制御を行う連動モードと、所定の機器の状態に基づいて、他の機器の運転制御を行わない非連動モードとを実行できる制御手段と、を備え、制御手段は、連動モードおよび非連動モードのいずれのモードでも、複数の機器のうち少なくとも１つの機器の状態を取得し、制御手段は、非連動モードにおいて予め取得した複数の機器のうち少なくとも１つの機器の状態に基づいて、連動モードを実行する。
【０００９】
この発明の一の局面による室内機器連携システムでは、上記のように構成することにより、連動モードおよび非連動モードを切り替えて複数の機器と制御手段との連動状態を解除した状態で、室内機器連携システムを動作させることができる。その結果、連動動作が不要な場合に非連動モードにすることができるので、非連動状態においては使用者の意図に沿った機器の制御を行うことができる。また、複数の機器と制御手段とを連動解除状態から連動状態に変更した場合でも、非連動モードにおいて予め取得した複数の機器のうち少なくとも１つの機器の状態に基づいて、所定の機器とは異なる他の機器に対して、迅速に適切な制御を行うことができる。以上から、使用者の意図に沿った機器の制御を行いつつ、連動解除状態から連動状態に変更された後でも迅速に適切な機器の制御を行うことができる。
【００１０】
上記一の局面による室内機器連携システムにおいて、好ましくは、連動モードに設定させない制御を行うための入力操作を受け付ける操作部をさらに備える。このように構成すれば、使用者が操作部を操作することにより、容易に、使用者の意図に応じて連動モードに設定させないようにすることができる。
【００１１】
上記一の局面による室内機器連携システムにおいて、好ましくは、複数の機器は、室内の空気質を検知する検知器と、検知器とは異なる外部機器とを含み、所定の機器の状態は、外部機器の駆動状態と検知器が検知した空気質の検知状態とのうち少なくとも１つの状態である。ここで、「空気質」とは、特定の気体成分に限定されず、生活臭を示す広い概念である。このように構成すれば、複数の機器と制御手段とを連動解除状態から連動状態に変更した場合でも、非連動モードにおいて予め取得した外部機器の駆動状態と検知器が検知した空気質の検知状態とのうち少なくとも１つの状態に基づいて、制御手段から所定の機器とは異なる他の機器に対して、円滑に適切な制御を行うことができる。
【００１２】
この場合、好ましくは、室内に配置される外部機器は、熱により調理を行うための調理器と、室内の空気を換気する換気機器とを含み、所定の機器の状態は、調理器の駆動状態と検知器が検知した空気質の検知状態とのうち少なくとも１つの状態である。このように構成すれば、複数の機器と制御手段とを連動解除状態から連動状態に変更した場合でも、非連動モードにおいて予め取得した調理器の駆動状態と検知器が検知したにおいなどの空気質の検知状態とのうち少なくとも１つの状態に基づいて、制御手段から所定の機器とは異なる他の機器に対して、円滑に適切な制御を行うことができる。
【００１３】
上記外部機器が調理器と換気機器とを含む構成において、好ましくは、他の機器は、少なくとも調理器および換気機器の一方である。このように構成すれば、複数の機器と制御手段とを連動解除状態から連動状態に変更した場合でも、少なくとも調理器および換気機器の一方に対して、円滑に適切な制御を行うことができる。
【発明の効果】
【００１４】
本発明によれば、上記のように、使用者の意図に沿った機器の制御を行いつつ、連動解除状態から連動状態に変更された後でも円滑に適切な機器の制御を行うことができる。
【図面の簡単な説明】
【００１５】
【図１】本発明の一実施形態による室内機器連携システムの模式図である。
【図２】本発明の一実施形態による室内機器連携システムのブロック図である。
【図３】本発明の一実施形態による室内機器連携システムの検知器の表示部の拡大図である。
【図４】本発明の一実施形態による室内機器連携システムの換気機器の操作部の拡大図である。
【図５】本発明の一実施形態による室内機器連携システムの空気質連動処理を説明するための図である。
【図６】本発明の一実施形態による室内機器連携システムの警報連動処理を説明するための図である。
【図７】本発明の一実施形態による室内機器連携システムにおいて、検知器および換気機器が連動モードに設定可能な場合の風量連動処理を説明するための図である。
【図８】本発明の一実施形態による室内機器連携システムにおいて、検知器および換気機器が連動モードに設定できなくなった場合の風量連動処理図である。
【図９】本発明の一実施形態による室内機器連携システムの連動モード無効時における室内機器連携システムの処理を説明するための図である。
【図１０】本発明の室内機器連携システムの変形例における連動モード無効時での室内機器連携システムの処理を説明するための図である。
【発明を実施するための形態】
【００１６】
以下、本発明を具体化した実施形態を図面に基づいて説明する。
【００１７】
（室内機器連携システムの構成）
図１〜図４を参照して、本発明の一実施形態による室内機器連携システム１の全体構成について説明する。
【００１８】
図１に示す室内機器連携システム１は、検知器２を含んでいる。室内機器連携システム１は、調理器３を含んでいる。室内機器連携システム１は、換気機器４を含んでいる。検知器２と、調理器３と、換気機器４とは、室内５００に設けられている。検知器２は、室内５００の空気の状態を検知するように構成されている。具体的には、検知器２は、ガス警報器である。調理器３は、熱により調理を行うように構成されている。換気機器４は、室内５００の空気を換気するように構成されている。
【００１９】
（検知器の構成）
図２に示すように、検知器２は、各種センサ２１を備えている。検知器２は、表示部２２を備えている。検知器２は、音声スピーカ２３を備えている。検知器２は、通信部２４を備えている。検知器２は、マイコン２５を備えている。検知器２は、操作部２６を備えている。検知器２は、制御手段２７を備えている。
【００２０】
各種センサ２１は、煙センサ２１１を含んでいる。煙センサ２１１は、煙を検知するように構成されている。煙センサ２１１が煙を検知することにより、制御手段２７は火災を検知する。
【００２１】
各種センサ２１は、ガスセンサ２１２を含んでいる。ガスセンサ２１２は、所定のガスを検知するように構成されている。ガスセンサ２１２は、たとえば、都市ガスまたはＬＰガスを検知できるセンサである。ガスセンサ２１２がガスを検知することにより、制御手段２７はガス漏れを検知する。
【００２２】
各種センサ２１は、ＣＯ（一酸化炭素）センサ２１３を含んでいる。ＣＯセンサ２１３は、ＣＯガスを検知するように構成されている。ＣＯセンサ２１３がＣＯガスを検知することにより、制御手段２７はＣＯが室内５００に充満したことを検知する。
【００２３】
各種センサ２１は、空気質センサ２１４を含んでいる。空気質センサ２１４は、室内５００の空気質を検知するように構成されている。空気質センサ２１４が室内５００の空気質が変化したことを検知することにより、制御手段２７は室内５００の空気質が悪化または改善したことを検知する。なお、「空気質」とは、特定の気体成分に限定されず、料理の際に発生した臭い、および、ゴミの臭いなどの生活臭を示す広い概念である。空気質センサ２１４は、言い換えると、においセンサである。
【００２４】
図３に示すように、表示部２２は、複数の発光部（たとえば、ＬＥＤ）を含んでいる。表示部２２は、煙センサ２１１による検知状態を報知する発光部２２１を含んでいる。表示部２２は、ガスセンサ２１２による検知状態を報知する発光部２２２を含んでいる。表示部２２は、ＣＯセンサ２１３による検知状態を報知する発光部２２３を含んでいる。表示部２２は、空気質センサ２１４による検知状態を報知する発光部２２４を含んでいる。また、表示部２２は、検知器２の電源の状態を報知する発光部２２６を含んでいる。
【００２５】
なお、各発光部は、対応するセンサの検知対象に応じた所定の色で発光するように構成することができる。また、発光部２２４は、赤（Ｒ）、緑（Ｇ）、および青（Ｂ）の３つの光源を含み、３つの光源から各々出射される光を用いて、種々の色により発光することが可能に構成されている。これにより、空気質の詳細な状態を使用者に報知することができる。
【００２６】
図２に示すように、音声スピーカ２３は、検知器２の状態（警告など）を、音声により使用者に報知するために設けられている。
【００２７】
通信部２４は、調理器３の後述する通信部３２と通信可能に構成されている。通信部２４は、換気機器４の後述する通信部４２と通信可能に構成されている。通信部２４は、種々の通信規格の通信モジュールを用いることができる。通信部２４は、たとえば、Ｂｌｕｅｔｏｏｔｈ（登録商標）通信モジュールを採用することができる。Ｂｌｕｅｔｏｏｔｈ（登録商標）信号により通信することで、たとえば、赤外線信号やＷｉ−Ｆｉ（Ｗｉｒｅｌｅｓｓ  Ｆｉｄｅｌｉｔｙ；登録商標）信号により通信する場合と比べて、省電力化を図ることが可能である。
【００２８】
マイコン２５は、通信部２４を制御するように構成されている。マイコン２５は、所定のプログラムにより動作するＣＰＵにより構成されている制御部である。
【００２９】
また、操作部２６は、検知器２に対して、使用者が各種の入力操作を行えるように設けられている。操作部２６は、たとえば、スイッチにより構成されている。操作部２６は、たとえば、押下状態（押下回数、押下時間など）を変更することにより、異なる入力操作を行えるように構成されている。たとえば、操作部２６を押下した状態で、検知器２の電源を入れると、検知器２が後述するペアリング（登録）モードに設定される。
【００３０】
制御手段２７は、所定のプログラムにより動作するＣＰＵにより構成されている制御部である。制御手段２７は、主として、検知器２の各種制御を行うように構成されている。また、制御手段２７は、制御手段３６および４６の少なくとも一方と連動して動作可能に構成されている。制御手段２７の詳細については、後述する。
【００３１】
（調理器の構成）
調理器３は、たとえば、ガスコンロである。なお、調理器３は、ガスコンロに限らず、ガス式の炊飯器や、電磁調理器など、熱により調理を行うための調理具を示す概念である。
【００３２】
調理器３は、加熱部３１を含んでいる。調理器３は、通信部３２を含んでいる。調理器３は、通信部３２とは異なる通信部３３を含んでいる。調理器３は、操作部３４を含んでいる。調理器３は、表示部３５を含んでいる。調理器３は、制御手段３６を含んでいる。調理器３は、発光部（ＬＥＤ）３７を含んでいる。
【００３３】
加熱部３１は、たとえば、右コンロ３１１と、後コンロ３１２と、左コンロ３１３と、グリル３１４とを含んでいる。
【００３４】
通信部３２は、通信部２４と同一規格または互換性がある規格の通信部である。通信部３２は、たとえば、Ｂｌｕｅｔｏｏｔｈ（登録商標）通信モジュールである。
【００３５】
通信部３３は、通信部３２と異なる規格の通信部である。通信部３３は、たとえば、赤外線通信モジュールである。
【００３６】
操作部３４は、使用者が調理器３に対する各種操作を行うための操作部である。操作部３４は、たとえば、スイッチにより構成されている。操作部３４は、連動モードに設定させない制御を行うための入力操作を受け付けるように構成されている。使用者が操作部３４を操作することにより、連動モードに設定させない制御を行うための入力操作が受け付けられた場合には、調理器３から検知器２にその情報が通知される。なお、連動モードに設定されている状態で、操作部３４が操作されると、非連動モード（検知器２、調理器３および換気機器４が連動しないモード）に切り替えられる。
【００３７】
また、操作部３４には、モード設定のためのスイッチ以外にも他のスイッチを含んでおり、これにより、調理器３に対する各種入力操作が可能である。
【００３８】
表示部３５は、調理器３に関する各種情報を表示するように構成されている。表示部３５は、情報を表示可能な非タッチセンサ式のモニタにより構成されている。表示部３５には、非タッチセンサ式以外の、種々の方式のモニタを採用することができる。
【００３９】
制御手段３６は、所定のプログラムにより動作するＣＰＵにより構成されている制御部である。制御手段３６は、主として、調理器３の各種制御を行うように構成されている。また、制御手段３６は、制御手段２７および４６の少なくとも一方と連動して動作可能に構成されている。制御手段３６の詳細については、後述する。
【００４０】
制御手段３６は、たとえば、調理器３の調理モードや、使用されている加熱部３１の数などの情報に基づいて、適切な換気が行われるように換気機器４に対して風量変更命令を行う制御を行うことが可能である。制御手段３６は、後述するように検知器２と換気機器４とが非連動モードである場合には、調理器３の通信部３３から換気機器４の通信部４３に、赤外線により換気機器４の風量変更命令を送信する制御を行うことが可能なように構成されている。
【００４１】
発光部（ＬＥＤ）３７は、調理器３の電源の入切状態を報知するように構成されている。
【００４２】
（換気機器の構成）
換気機器４は、室内５００の空気を室外に排気するためのレンジフードである。換気機器４は、ファンユニット４１を含んでいる。換気機器４は、通信部４２を含んでいる。換気機器４は、通信部４３を含んでいる。換気機器４は、操作部４４を含んでいる。換気機器４は、表示部４５を含んでいる。換気機器４は、制御手段４６を含んでいる。
【００４３】
通信部４２は、通信部２４と同一規格または互換性がある規格の通信部である。通信部４２は、たとえば、Ｂｌｕｅｔｏｏｔｈ（登録商標）通信モジュールである。
【００４４】
通信部４３は、通信部４２と異なる規格の通信部である。通信部４３は、たとえば、赤外線通信モジュールである。
【００４５】
図４に示すように、操作部４４は、使用者が換気機器４に対する各種操作を行うための操作部である。操作部４４は、たとえば、スイッチにより構成されている。操作部４４は、連動モードに設定させない制御を行うための入力操作を受け付けるように構成されてもよい。このような場合、使用者が操作部４４を操作することにより、連動モードに設定させない制御を行うための入力操作が受け付けられた場合には、換気機器４から検知器２にその情報が通知され、非連動モード（検知器２、調理器３および換気機器４が連動しないモード）に切り替えられる。
【００４６】
また、操作部４４には、モード設定のためのスイッチ以外にも他のスイッチを含んでおり、これにより、換気機器４に対する各種入力操作が可能である。
【００４７】
図２に示すように、表示部４５は、換気機器４に関する各種情報を表示するように構成されている。表示部４５は、複数の発光部（たとえば、ＬＥＤ）を含んでいる。表示部４５は、電源状態や、換気の強さ（たとえば弱、中、強）、ペアリングの状態などの各種情報（換気機器４の起動状態）を報知するように構成されている。
【００４８】
制御手段４６は、所定のプログラムにより動作するＣＰＵにより構成されている制御部である。制御手段４６は、主として、換気機器４の各種制御を行うように構成されている。また、制御手段４６は、制御手段２７および３６の少なくとも一方と連動して動作可能に構成されている。制御手段４６の詳細については、後述する。
【００４９】
（各制御手段の詳細な構成）
次に、各制御手段（制御手段２７、３６および４６）の詳細な構成について説明する。
【００５０】
図２に示すように、制御手段２７は、室内５００に検知器２、調理器３および換気機器４を最初に設置した際に（初期設定の際に）、室内機器連携システム１に含まれる機器として検知器２、調理器３および換気機器４を認識するペアリング処理（登録処理）を行うように構成されている。詳細には、検知器２がペアリングモードに設定された状態で、使用者が調理器３の操作部３４に対してペアリングを行うための所定の操作を行う。これにより、制御手段２７が、調理器３の通信部３２からのペアリング信号を、通信部２４を介して適切に検知した場合には、検知器２と調理器３とのペアリングが完了する。
【００５１】
これと同様に、検知器２がペアリングモードに設定された状態で、使用者が換気機器４の操作部４４に対してペアリングを行うための所定の操作を行う。これにより、制御手段２７が、換気機器４の通信部４２からのペアリング信号を、通信部２４を介して適切に検知した場合には、検知器２と換気機器４とのペアリングが完了する。ペアリングが完了することにより、制御手段２７は、検知器２、調理器３および換気機器４を、室内機器連携システム１に含まれる機器として認識する。
【００５２】
制御手段２７は、室内５００に配置される複数の機器（検知器２、調理器３、換気機器４）のうち所定の機器の状態に基づいて、所定の機器とは異なる他の機器の運転制御を行う連動モードと、所定の機器の状態に基づいて、他の機器の運転制御を行わない非連動モードとを実行可能に構成されている。すなわち、制御手段２７は、連動モードと、非連動モードとを切り替えて動作可能に構成されている。ここで、所定の機器の状態とは、検知器２とは異なる外部機器の駆動状態と検知器２が検知した空気質の検知状態とのうち少なくとも１つの状態である。具体的には、所定の機器の状態とは、調理器３の駆動状態と検知器２が検知した空気質の検知状態とのうち少なくとも１つの状態である。
【００５３】
連動モードは、検知器２の通信部２４から調理器３の通信部３２（換気機器４の通信部４２）に機器の動作状態を変更させる命令を送り、その命令に基づいて調理器３（換気機器４）が動作状態の変更を行うとともに、動作状態を変更したことを調理器３（換気機器４）から検知器２に送信することが可能なモードである。連動モードでは、データ容量が大きい情報のやり取りを行うことができる。一方、非連動モードは、調理器３の通信部３２（換気機器４の通信部４２）から検知器２の通信部２４に、調理器３（換気機器４）の動作状態を一方向の信号により送信することが可能なモードである。この一方向の信号は、たとえば、各通信部（２４、３２、４２）がＢｌｕｅｔｏｏｔｈ（登録商標）に準拠した規格の通信部である場合には、アドバタイズ信号である。非連動モードでは、データ容量が小さい情報のやり取りを行うことができる。
【００５４】
また、制御手段２７は、検知器２の状態に基づいて、検知器２とは異なる他の機器である調理器３および換気機器４の少なくとも一方の運転制御を行う連動モードで動作可能に構成されている。また、制御手段２７は、検知器２の状態に基づいて、検知器２とは異なる他の機器である調理器３および換気機器４の少なくとも一方の運転制御を行わない非連動モードで動作可能に構成されている。
【００５５】
また、制御手段２７は、制御手段３６とも連動した制御を行うこともできる。制御手段３６は、調理器３の状態に基づいて、調理器３とは異なる他の機器である換気機器４の運転制御をＢｌｕｅｔｏｏｔｈ（登録商標）信号により行う連動モードで、動作可能に構成されている。詳細には、制御手段２７は、制御手段３６が取得した調理器３の状態に基づいて、換気機器４の運転制御することができる。また、制御手段３６は、調理器３の状態に基づいて、調理器３とは異なる他の機器である換気機器４の運転制御を行わない非連動モードで動作可能に構成されている。詳細には、制御手段２７は、制御手段３６が取得した調理器３の状態に基づいて、換気機器４の運転制御を行わない。
【００５６】
なお、制御手段３６は、独立して（制御手段２７の制御に関わらず）、赤外線信号を用いて換気機器４の風量を調整する制御を行うことが可能である。
【００５７】
また、制御手段２７は、連動モードおよび非連動モードのいずれのモードでも、複数の機器（調理器３、換気機器４）のうち少なくとも１つの機器の状態を取得するように構成されている。制御手段２７は、連動モードおよび非連動モードのいずれのモードでも、調理器３（換気機器４）から、検知器２に送信されるアドバタイズ信号により調理器３（換気機器４）の状態を取得するように構成されている。
【００５８】
また、制御手段２７は、連動モードの状態において、所定の制御（調理器３（換気機器４）に対して機器の動作状態を変更させる命令を送り、動作状態を変更したことを調理器３（換気機器４）から受信する制御）が終了したことに基づいて、連動モードから非連動モードに切り替える制御を行う。
【００５９】
（室内機器連携システムにおける各種制御処理）
次に、図５〜図９を参照して、室内機器連携システム１における各種制御処理について説明する。
【００６０】
（空気質連動処理）
図５を参照して、空気質連動処理について説明する。この処理は、主として、検知器２の制御手段２７により実行される。連動モードにおける空気質連動処理とは、検知器２の状態（検知器２が取得した空気質情報）に基づいて、換気機器４が制御される処理である。なお、図５では、非連動モードの状態からの処理を説明している。
【００６１】
まず、ステップＳ１において、検知器２の制御手段２７は、調理器３から調理器３の状態を取得するとともに、換気機器４から換気機器４の状態を取得する制御を行う。具体的には、検知器２の制御手段２７は、調理器３の通信部３２から検知器２の通信部２４に一方向に送信される信号に基づいて、調理器３の状態を取得する制御を行う。検知器２の制御手段２７は、換気機器４の通信部４２から検知器２の通信部２４に一方向に送信される信号に基づいて、換気機器４の状態を取得する制御を行う。調理器３の通信部３２から検知器２の通信部２４に（換気機器４の通信部４２から検知器２の通信部２４に）一方向に送信される信号（Ｂｌｕｅｔｏｏｔｈ信号、アドバタイズ信号）は、たとえば１００ｍｓ毎に送信されるので、制御手段２７は、１００ｍｓ毎のタイミングで、調理器３の通信部３２（換気機器４の通信部４２）から継続して信号を受信する制御を行う。
【００６２】
ステップＳ１において、調理器３から検知器２に送られる情報は、たとえば、加熱部３１のオン・オフ情報（加熱部３１のいずれが点火しているか否かについての情報）、および、加熱部３１のうち点火しているコンロまたはグリルの火力情報である。また、ステップＳ１において、換気機器４から検知器２に送られる情報は、たとえば、ファンユニット４１の状態についての情報（ファンユニット４１が動作しているか否かについての情報）、および、ファンユニット４１が動作している場合には換気の強さ（たとえば弱、中、強）の情報である。
【００６３】
ステップＳ２において、制御手段２７は、換気機器４に対して、接続確認の問合せをする制御を行う。接続確認の問合せとは、非連動モードから連動モードに移行する際に、連動モードに移行可能であることを、検知器２と換気機器４（または調理器３）との間で事前に確認するための処理である。詳細には、制御手段２７は、検知器２の通信部２４から、換気機器４の通信部４２に対して、接続確認問合信号を送信する制御を行う。制御手段２７は、定期的に、この接続確認問合信号を送信することが可能である。
【００６４】
ステップＳ３において、検知器２と換気機器４とが連動モードに設定可能である場合には、換気機器４の通信部４２から、検知器２の通信部２４に対して接続可能応答信号が送信され、制御手段２７は接続可能応答信号を受信する処理を行う。制御手段２７は、接続可能応答信号を受信できた場合には、検知器２と換気機器４とが連動モードに設定可能であると判断する。ステップＳ３の処理が終了すると、検知器２と換気機器４との間の双方向の通信が終了する。
【００６５】
ステップＳ４において、制御手段２７は、風量変更状態になったか否かを判断する。風量変更状態とは、室内５００の空気質の状態に、適切な換気状態（たとえば、換気の強さ）で換気機器４が動作していない状態を意味する。制御手段２７は、検知器２の空気質センサ２１４により検知された空気質の状態に基づき、風量変更状態になったか否かを判断する。ステップＳ４において、制御手段２７は、風量変更状態になったと判断すると、ステップＳ５に処理を進める。また、制御手段２７は、発光部２２４を用いて空気質の状態を報知する。
【００６６】
ステップＳ５において、制御手段２７は、換気機器４（制御手段４６）に対して、連動モードに切り替える命令を行う。そして、制御手段２７は、ステップＳ４で取得した空気質センサ２１４の検知結果（空気質センサ２１４の検出値）に応じて、適切な風量で換気されるように、換気機器４に対して風量変更命令を行う。たとえば、制御手段２７は、空気質センサ２１４の検出値が予め設定された閾値以上になった場合には、換気機器４に対して風量変更命令を行う制御を行う。そして、ステップＳ５の風量変更命令に基づいて、換気機器４の制御手段４６により換気機器４の風量変更処理が行われた場合には、換気機器４の制御手段４６は、換気機器４から検知器２に風量変更処理完了の情報を送信する制御を行う。
【００６７】
ステップＳ６において、制御手段２７は、風量変更処理完了の情報を受信したことにより、換気機器４において風量変更処理が行われたことを認識できる。その後、制御手段２７は、検知器２と換気機器４との連動モードを解除する（非連動モードに変更する）。
【００６８】
なお、制御手段２７は、常時または所定のタイミングで、ステップＳ４の処理（風量変更状態になったか否の判断処理）を行っており、風量変更状態になったと判断すると、換気機器４の運転制御を行う連動モードに移行する処理（ステップＳ５の処理）を行う。
【００６９】
（警報連動処理）
図６を参照して、警報連動処理について説明する。この処理は、主として、検知器２の制御手段２７により実行される。連動モードにおける警報連動処理とは、検知器２の状態（検知器２が取得した警報情報）に基づいて、調理器３および換気機器４が制御される処理である。なお、図６では、非連動モードの状態からの処理を説明している。なお、ステップＳ１〜Ｓ３およびＳ６の処理については、空気質連動処理（図５参照）で説明した内容と実質的に同様であるため、説明を省略する。
【００７０】
ステップＳ１１において、制御手段２７は、調理器３に対して、接続確認の問合せをする制御を行う。制御手段２７は、検知器２の通信部２４から、調理器３の通信部３２に対して、接続確認問合信号を送信する制御を行う。制御手段２７は、定期的に、この接続確認問合信号を送信することが可能である。
【００７１】
ステップＳ１２において、検知器２と調理器３とが連動モードに設定可能である場合には、調理器３の通信部３２から、検知器２の通信部２４に対して接続可能応答信号が送信され、制御手段２７は接続可能応答信号を受信する処理を行う。制御手段２７は、接続可能応答信号を受信できた場合には、検知器２と調理器３とが連動モードに設定可能であると判断する。ステップＳ１２の処理が終了すると、検知器２と調理器３との間での双方向の通信が終了する。なお、ステップＳ１１およびＳ１２の処理内容は、対象機器が異なる点を除き、ステップＳ２およびＳ３の処理と実質的に同様である。
【００７２】
ステップＳ１３において、制御手段２７は、警報発生状態になったか否かを判断する。
警報発生状態とは、室内５００のガス濃度やＣＯ濃度などが所定値以上になった状態を意味する。制御手段２７は、検知器２のガスセンサ２１２により検知されたガスの状態に基づき、警報発生状態になったか否かを判断する。ステップＳ１３において、制御手段２７は、警報発生状態になったと判断すると、ステップＳ１４およびＳ１５の各々に処理を進める。また、制御手段２７は、検知器２の音声スピーカ２３から、警告音を発生させる制御を行う。
【００７３】
ステップＳ１４では、制御手段２７は、換気機器４（制御手段４６）に対して、連動モードに切り替える命令を行う。そして、制御手段２７は、ステップＳ１３で取得したガスセンサ２１２の検知結果（ガスセンサ２１２の検出値）に応じて、適切な風量で換気されるように、換気機器４に対して風量変更命令を行う。たとえば、制御手段２７は、ガスセンサ２１２の検出値が予め設定された閾値以上になった場合には、換気機器４に対して風量変更命令を行う制御を行う。そして、ステップＳ１４の風量変更命令に基づいて、換気機器４の制御手段４６により換気機器４の風量変更処理が行われた場合には、制御手段４６は、検知器２の制御手段２７に対して、風量変更処理完了の情報を送信する。
【００７４】
また、ステップＳ１５では、制御手段２７は、調理器３（制御手段３６）に対して、連動モードに切り替える命令を行う。そして、制御手段２７は、ステップＳ１３で取得したガスセンサ２１２の検知結果（ガスセンサ２１２の検出値）に応じて、たとえば、加熱部３１のうち点火しているコンロ（グリル）を消火するように、調理器３に対して消火命令を行う。たとえば、制御手段２７は、ガスセンサ２１２の検出値が予め設定された閾値以上になった場合には、調理器３に対して消火命令を行う制御を行う。そして、ステップＳ１５の消火命令に基づいて、調理器３の制御手段３６により調理器３の消火処理が行われた場合には、調理器３の制御手段３６は、調理器３から検知器２に消火処理完了の情報を送信する。なお、消火とは、点火（オン）状態のコンロまたはグリルを、オフ状態にすることを意味する。
【００７５】
ステップＳ１６において、制御手段２７は、消火処理完了の情報を受信したことにより、調理器３において消火処理が行われたことを認識できる。その後、制御手段２７は、検知器２と調理器３との連動モードを解除する（非連動モードに変更する）。
【００７６】
なお、制御手段２７は、常時または所定のタイミングで、ステップＳ１３の処理（警報発生状態になったか否の判断処理）を行っており、警報発生状態になったと判断すると、調理器３および換気機器４の運転制御を行う連動モードに移行する処理（ステップＳ１４およびＳ１５の処理）を行う。
【００７７】
（検知器および換気機器が連動モードに設定可能な場合の風量連動処理）
図７を参照して、検知器２および換気機器４が連動モードに設定可能な場合の風量連動処理について説明する。この処理は、主として、検知器２の制御手段２７と、調理器３の制御手段３６とにより実行される。連動モードにおける風量連動処理とは、調理器３の状態に基づいて、換気機器４が制御される処理である。なお、図７では、非連動モードの状態からの処理を説明している。なお、ステップＳ１〜Ｓ３、Ｓ６およびＳ１２の処理については、空気質連動（図５参照）または警報連動処理（図６参照）で説明した内容と実質的に同様であるため、説明を省略する。
【００７８】
ステップＳ２０に示すように、検知器２と換気機器４（検知器２と調理器３）とがＢｌｕｅｔｏｏｔｈ（登録商標）信号により調理器３および換気機器４の通信（検知器２を介した調理器３および換気機器４の通信）が行える状態を確認できていない場合には、調理器３（制御手段３６）は、調理器３の通信部３３から換気機器４の通信部４３に赤外線通信により、換気機器４の風量変更命令を送信する制御を行っている。
【００７９】
ステップＳ２１において、制御手段２７は、調理器３に対して、接続確認をする制御を行う。詳細には、ステップＳ３において、制御手段２７が、換気機器４から検知器２に接続可能応答信号が送信されたと判断した場合には、制御手段２７は、検知器２の通信部２４から調理器３の通信部３２に、接続確認問合信号と、換気機器有り情報（換気機器４と検知器２とが連動モードに設定可能であることの情報）とを、送信する制御を行う。
【００８０】
そして、ステップＳ２、Ｓ３、Ｓ２１およびＳ１２の処理が行われることにより、調理器３および換気機器４の通信（検知器２を介した調理器３および換気機器４の通信）が行える状態になると、ステップＳ２０に示した調理器３の通信部３３から換気機器４の通信部４３への赤外線通信は停止される。
【００８１】
ステップＳ２２に進んだ場合、調理器３の制御手段３６は、風量変更状態になったか否かを判断する。ステップＳ２２において、調理器３の制御手段３６は、風量変更状態になったと判断すると、調理器３の通信部３２から検知器２の通信部２４に一方向に送信される信号（Ｂｌｕｅｔｏｏｔｈ信号、アドバタイズ信号）を用いて、調理器３の状態とともに、風量変更命令を、調理器３から検知器２に送信する制御を行う。調理器３の制御手段３６は、たとえば、加熱部３１の調理モードや、使用されている加熱部３１の数などの情報に基づいて、適切な換気が行われるように換気機器４に対して風量変更命令を行う制御を行うことが可能である。
【００８２】
次に、ステップＳ２３において、制御手段２７は、換気機器４（制御手段４６）に対して、連動モードに切り替える命令を行う。そして、制御手段２７は、調理器３から送信された風量変更命令（ステップＳ２２の命令）に基づいて、適切な風量で換気されるように、換気機器４に対して風量変更命令を行う。ステップＳ２３では、制御手段２７は、Ｂｌｕｅｔｏｏｔｈ通信により、換気機器４に対して風量変更命令を行う。
【００８３】
なお、調理器３の制御手段３６は、常時または所定のタイミングで、ステップＳ２２の処理（風量変更状態になったか否かの判断処理）を行っており、風量変更状態になったと判断すると、換気機器４を連動モードにより制御させる処理（ステップＳ２３の処理）を行う。
【００８４】
図７に示した風量連動処理では、検知器２と換気機器４とが連動モードに設定可能な場合には、調理器３から換気機器４への赤外線通信による風量制御ではなく、調理器３から検知器２を介した換気機器４へのＢｌｕｅｔｏｏｔｈ（登録商標)通信による風量制御が行われる。これにより、通信に起因する調理器３の消費電力を小さくできる。図７に示した風量連動処理は、調理器３が電池駆動の調理器である場合には、効果的に省電力化を図ることができる。
【００８５】
（検知器および換気機器が連動モードに設定できなくなった場合の風量連動処理）
図８を参照して、検知器２および換気機器４が連動モードに設定できなくなった場合の風量連動処理について説明する。この処理は、主として、検知器２の制御手段２７と、調理器３の制御手段３６とにより実行される。なお、図８では、連動モードの状態からの処理を説明しており、図８の制御の開始状態では、調理器３の通信部３３から換気機器４の通信部４３に送信される赤外線は停止されている（通信部３３が電力消費しない状態である）。なお、ステップＳ１、Ｓ２、Ｓ６、Ｓ１２、Ｓ２０、Ｓ２２、およびＳ２３の処理については、図５〜図７のいずれかにおいて説明した内容と実質的に同様であるため、説明を省略する。
【００８６】
ステップＳ２２およびＳ２３の処理により、調理器３から検知器２を介した、連動モードによる換気機器４へのＢｌｕｅｔｏｏｔｈ（登録商標)通信による風量制御が行われる。
【００８７】
ステップＳ２において検知器２が換気機器４に対して接続確認の問合せをする制御を行った際に、適切に通信ができない場合には、ステップＳ３１において、制御手段２７は、通信異常があると判断する。通信異常は、接続エラーなどである。
【００８８】
次に、ステップＳ３２において、制御手段２７は、調理器３に対して、接続確認の問合せをする制御を行う。詳細には、制御手段２７は、検知器２の通信部２４から調理器３の通信部３２に、接続確認問合信号と、換気機器なし情報（換気機器４と検知器２とが連動モードに設定不可能であることの情報）とを、送信する制御を行う。また、ステップＳ３２おいて、検知器２の制御手段２７による送信制御により送信された換気機器なし情報が、調理器３で取得されると、調理器３の制御手段３６は、赤外線を用いて、調理器３の通信部３３から換気機器４の通信部４３に情報を送信可能な状態に、調理器３を設定する（通信部３３に電力を供給する）。
【００８９】
そして、ステップＳ２０に示すように、検知器２と換気機器４とが非連動モードであるため（換気機器４と検知器２とが連動モードに設定不可能であるため）、調理器３は、調理器３の通信部３３から換気機器４の通信部４３に、赤外線により換気機器４の風量変更命令を送信する制御を行う。
【００９０】
図８に示した風量連動処理では、検知器２と換気機器４とが連動モードに設定できなくなった場合には、連動モード時における調理器３から検知器２を介した換気機器４へのＢｌｕｅｔｏｏｔｈ（登録商標)通信による風量制御に換えて、調理器３から換気機器４への赤外線通信による風量制御が行われる。このように、調理器３と換気機器４とが、２系統の通信手段（赤外線通信、Ｂｌｕｅｔｏｏｔｈ（登録商標)通信）を有することにより、検知器２と換気機器４とが連動モードに設定できる場合には、Ｂｌｕｅｔｏｏｔｈ（登録商標)通信を用いて省電力化を図ることができ、連動モードに設定できなくなった場合でも、Ｂｌｕｅｔｏｏｔｈ（登録商標)通信に代えて赤外線通信を用いることにより、調理器３から換気機器４に対して、継続して風量制御を行うことができる。
【００９１】
（連動モード無効時における室内機器連携システムの処理）
図９を参照して、連動モード無効時における室内機器連携システム１の処理について説明する。この処理は、検知器２の制御手段２７、調理器３の制御手段３６、および換気機器４の制御手段４６により実行される。図９で説明する処理は、使用者が操作部（３４）を操作したことにより、検知器２および調理器３（検知器２および換気機器４）が連動モードに設定されない状況下での処理である。ステップＳ１〜Ｓ４、およびＳ１１〜Ｓ１３の処理については、図５〜図８のいずれかにおいて説明した内容と実質的に同様である。
【００９２】
ステップＳ２における換気機器４に対する接続確認の問合せに対して、検知器２と換気機器４とが連動モードに設定可能である場合には、換気機器４の通信部４２から、検知器２の通信部２４に対して接続可能応答信号が送信される。そして、ステップＳ３において、制御手段２７は接続可能応答信号を受信する処理を行う。しかしながら、図９に示す処理では、検知器２が換気機器４から接続可能応答信号を受信した場合（検知器２と換気機器４とが連動モードに設定可能である場合）であっても、検知器２および換気機器４が連動モードに設定されない処理を、制御手段２７は実行する。すなわち、制御手段２７は、換気機器４（制御手段４６）に対して、連動モードに切り替える命令を行わない。これと同様に、検知器２と調理器３とが連動モードに設定可能である場合であっても、検知器２および調理器３が連動モードに設定されない処理を制御手段２７は実行する。すなわち、制御手段２７は、調理器３（制御手段３６）に対して、連動モードに切り替える命令を行わない。
【００９３】
このように、換気機器４および調理器３が連動モードに設定されないようにユーザが操作部４４および３４を操作した条件下では、機器としては連動モードに設定可能である場合であっても、連動モードに設定されない処理が行われる。
【００９４】
すなわち、制御手段２７は、ステップＳ４で取得した空気質センサ２２４の検知結果（空気質センサ２２４の検出値）に応じて、適切な風量で換気されるように、換気機器４に対して風量変更命令を行わない（図５のステップＳ５の処理を行わない）。その一方、制御手段２７は、発光部２２４を用いて空気質の状態を報知する。
【００９５】
また、制御手段２７は、ステップＳ１３で取得したガスセンサ２１２の検知結果（ガスセンサ２１２の検出値）に応じて、加熱部３１のうち点火しているコンロ（グリル）を消火するように、調理器３に対して消火命令を行わない（図６のステップＳ１５の処理を行わない）。また、制御手段２７は、ステップＳ１３で取得したガスセンサ２１２の検知結果（ガスセンサ２１２の検出値）に応じて、換気機器４に対して風量変更命令を行わない（図６のステップＳ１４の処理を行わない）。その一方、制御手段２７は、検知器２の音声スピーカ２３から、警告音を発生させる制御を行う。
【００９６】
図９に示す連動モード無効時における室内機器連携システムの処理では、各機器が連動されない。すなわち、検知器２、調理器３および換気機器４は、それぞれ、独立して動作する。このため、使用者が、調理器３および換気機器４の各々を手動で操作し、所望の設定をすることができる。また、各機器が連動されないものの、ステップＳ１の調理器３の通信部３２から検知器２の通信部２４に（換気機器４の通信部４２から検知器２の通信部２４に）一方向に送信される信号（アドバタイズ信号）により、検知器２の制御手段２７は、調理器３から調理器３の状態を取得するとともに、換気機器４から換気機器４の状態を取得することができる。
【００９７】
（本実施形態の効果）
本実施形態では、以下のような効果を得ることができる。
【００９８】
本実施形態では、上記のように、連動モードと、所定の機器の状態に基づいて、他の機器の運転制御を行わない非連動モードとを実行できる制御手段２７を設ける。連動モードおよび非連動モードのいずれのモードでも、複数の機器のうち少なくとも１つの機器の状態を取得する制御を行うように制御手段２７を構成する。これにより、連動モードおよび非連動モードを切り替えて複数の機器と制御手段２７との連動を解除した状態で、室内機器連携システム１を動作させることができる。その結果、連動動作が不要な場合に非連動モードにすることができるので、非連動状態においては使用者の意図に沿った機器の制御を行うことができる。また、複数の機器と制御手段とを連動解除状態から連動状態に変更した場合でも、非連動モードにおいて予め取得した複数の機器のうち少なくとも１つの機器の状態に基づいて、所定の機器とは異なる他の機器に対して、迅速に適切な制御を行うことができる。以上から、使用者の意図に沿った機器の制御を行いつつ、連動解除状態から連動状態に変更された後でも迅速に適切な機器の制御を行うことができる。
【００９９】
また、本実施形態では、連動モードに設定させない制御を行うための入力操作を受け付ける操作部３４（４４）をさらに備える。これにより、使用者が操作部３４（４４）を操作することにより、容易に、使用者の意図に応じて連動モードに設定させないようにすることができる。
【０１００】
また、本実施形態では、複数の機器は、室内５００の空気質を検知する検知器２と、検知器２とは異なる外部機器とを含む。所定の機器の状態は、外部機器（調理器３）の駆動状態と検知器２が検知した空気質の検知状態とのうち少なくとも１つの状態である。これにより、複数の機器と制御手段とを連動解除状態から連動状態に変更した場合でも、非連動モードにおいて予め取得した外部機器の駆動状態と検知器２が検知した空気質の検知状態とのうち少なくとも１つの状態に基づいて、制御手段２７から所定の機器とは異なる他の機器に対して、円滑に適切な制御を行うことができる。
【０１０１】
また、本実施形態では、室内５００に配置される外部機器は、熱により調理を行うための調理器３と、室内５００の空気を換気する換気機器４とを含む。所定の機器の状態は、調理器３の駆動状態と検知器２が検知した空気質の検知状態とのうち少なくとも１つの状態である。これにより、複数の機器と制御手段とを連動解除状態から連動状態に変更した場合でも、非連動モードにおいて予め取得した調理器３の駆動状態と検知器２が検知したにおいなどの空気質の検知状態とのうち少なくとも１つの状態に基づいて、制御手段２７から所定の機器とは異なる他の機器に対して、円滑に適切な制御を行うことができる。
【０１０２】
また、本実施形態では、他の機器は、調理器３および換気機器４である。これにより、複数の機器と制御手段２７とを連動解除状態から連動状態に変更した場合でも、調理器３および換気機器４に対して、円滑に適切な制御を行うことができる。
【０１０３】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１０４】
たとえば、上記実施形態では、室内機器連携システム１が、検知器２と、調理器３と、換気機器４とを備える例を示したが、本発明はこれに限られない。本発明では、室内機器連携システム１が、検知器２および調理器３のみを備える構成でもよい。また、室内機器連携システム１が、検知器２および換気機器４のみを備える構成でもよい。また、室内機器連携システム１が、検知器２、調理器３および換気機器４以外の機器を含んでいてもよい。
【０１０５】
また、上記実施形態では、連動モードおよび非連動モードのいずれのモードでも、制御手段２７が、調理器３と換気機器４との状態を取得する例を示したが、本発明はこれに限られない。本発明では、制御手段２７が、調理器３と換気機器４とのうちいずれか一方の状態を取得してもよい。
【０１０６】
また、上記実施形態では、調理器３の操作部３４が、検知器２、調理器３および換気機器４を連動モードに設定させない制御を行うための入力操作を受け付けるように構成されている例を示したが、本発明はこれに限られない。本発明では、各操作部（２６、３４、４４）のうちいずれか１つが、連動モードに設定させない制御を行うための入力操作を受け付けるように構成されていてもよい。また、全ての操作部が、連動モードに設定させない制御を行うための入力操作を受け付ける構成でなくてもよい。
【０１０７】
また、上記実施形態では、調理器３の操作部３４が、すべての機器（検知器２、調理器３および換気機器４）を一括して連動モードに設定させないような入力操作を受け付ける例を示したが、本発明はこれに限られない。本発明では、調理器３の操作部３４が、検知器２と調理器３とを連動モードに設定させない入力操作を受け付けるとともに、換気機器４の操作部４４が、検知器２と換気機器４とを連動モードに設定させない入力操作を受け付けることによって、機器毎に連動モードに設定されない構成でもよい（すべての機器が一括して連動モードに設定されなくてもよい）。
【０１０８】
また、上記実施形態では、制御手段２７が、検知器２に内蔵されている例を示したが、本発明はこれに限られない。本発明では、制御手段２７が、検知器２に内蔵されていなくてもよい。すなわち、制御手段２７が、検知器２と別個に設けられた装置であってもよい。
【０１０９】
また、上記実施形態では、制御手段３６が、調理器３に内蔵されている例を示したが、本発明はこれに限られない。本発明では、制御手段３６が、調理器３に内蔵されていなくてもよい。すなわち、制御手段３６が、調理器３と別個に設けられた装置であってもよい。
【０１１０】
また、上記実施形態では、制御手段４６が、換気機器４に内蔵されている例を示したが、本発明はこれに限られない。本発明では、制御手段４６が、換気機器４に内蔵されていなくてもよい。すなわち、制御手段４６が、換気機器４と別個に設けられた装置であってもよい。
【０１１１】
また、上記実施形態では、制御手段２７、３６および４６が、それぞれ、上記実施形態において説明した機能を有する（制御を行う）ように構成されている例を示したが、本発明はこれに限られない。本発明では、たとえば、制御手段２７が、上記実施形態で説明した制御手段２７の機能に加え、制御手段３６および４６のうち少なくとも一方の制御手段の機能を有するように構成されてもよい。制御手段３６が、上記実施形態で説明した制御手段３６の機能に加え、制御手段２７および４６のうち少なくとも一方の制御手段の機能を有するように構成されてもよい。制御手段４６が、上記実施形態で説明した制御手段４６の機能に加え、制御手段３６および２７のうち少なくとも一方の制御手段の機能を有するように構成されてもよい。
【０１１２】
また、上記実施形態では、ＣＰＵから構成される制御手段２７、３６および４６を個別に設ける例を示したが、本発明はこれに限られない。本発明では、制御手段２７、３６および４６が行う制御を実行するための１つの制御手段（ＣＰＵ）を、制御手段２７、３６および４６とは別個に設けてもよい。また、この制御手段は、検知器２、調理器３、および、換気機器４のいずれかに内蔵させてもよいし、検知器２、調理器３、および、換気機器４とは別個に設けられた装置であってもよい。
【０１１３】
また、上記実施形態では、検知器２に、制御手段２７を構成するＣＰＵとは、別個にマイコン２５を設けた例を示したが、本発明はこれに限られない。本発明では、マイコン２５の機能を有するように制御手段２７を構成することにより、マイコン２５を設けない構成であってもよい。
【０１１４】
また、上記実施形態では、通信部２４、３２および４２が、Ｂｌｕｅｔｏｏｔｈ（登録商標）の無線の通信規格である例を示したが、本発明はこれに限られない。本発明では、通信部２４、３２および４２が、Ｂｌｕｅｔｏｏｔｈ（登録商標）以外の、たとえば、Ｗｉ−Ｆｉ（Ｗｉｒｅｌｅｓｓ  Ｆｉｄｅｌｉｔｙ；登録商標）、および赤外線（ＩＲ）などの無線の通信規格に準拠した通信部であってもよい。また、通信部２４、３２および４２は、上記した無線部に限らず、有線の通信部であってもよい。
【０１１５】
また、上記実施形態では、調理器３および換気機器４が連動モードに設定可能な場合の風量連動処理（図７参照）における、ステップＳ２２の処理を、アドバタイズ信号を用いて行う例を示したが、本発明はこれに限られない。本発明では、ステップＳ２２の処理を、双方向通信の信号を用いて行ってもよい。
【０１１６】
また、上記実施形態では、連動モード無効時の場合（図９参照）には、制御手段２７は、換気機器４の制御手段４６（調理器３の制御手段３６）に対して、連動モードに切り替える命令を行わないことにより、連動モードに設定されないようにシステムが動作する例を示したが、本発明はこれに限られない。本発明では、連動モード無効時の場合に、制御手段２７が、換気機器４の制御手段４６（調理器３の制御手段３６）に対して、連動モードに切り替える命令を行うものの、制御手段４６（制御手段３６）が連動モードに切り替える命令を拒否する制御を行うことにより、連動モードに設定されないようにシステムが動作してもよい。
【０１１７】
また、上記実施形態では、連動モードにおいて、検知器２の状態に基づいて換気機器４の運転制御を行う処理、および、検知器２の状態に基づいて調理器３および換気機器４の運転制御を行う処理について例示したが、本発明はこれに限られない。本発明では、検知器２の状態に基づいて調理器３の運転制御だけを行う処理を行ってもよく、検知器２の状態および調理器３の状態に基づいて換気機器４の運転制御を行う処理を行ってもよい。
【０１１８】
また、上記実施形態では、連動モードにおいて、調理器３の状態に基づいて換気機器４の運転制御を行う処理について例示したが、本発明はこれに限られない。本発明では、換気機器４の状態に基づいて調理器３の運転制御を行う処理を行ってもよい。
【０１１９】
また、上記実施形態では、図９に示すように、連動モード無効時において、検知器２は、調理器３および換気機器４の両方に接続確認の問合せ（ステップＳ１１およびＳ２参照）を行う例を示したが、本発明はこれに限られない。本発明では、連動モード無効時において、検知器２は、調理器３および換気機器４のいずれか一方にのみ、接続確認の問合せを行ってもよい。また、図１０に示す変形例のように、連動モード無効時において、検知器２は、調理器３および換気機器４のいずれにも、接続確認の問合せを行わなくてもよい。
【０１２０】
また、上記実施形態の室内機器連携システム１に、非連動モードで取得した機器の状態を記憶する記憶部を備え、非連動モードから連動モードに変更した場合に、記憶部に記憶される機器の状態（例えば最新の機器の状態）に基づいて、連動モード変更直後の各機器への制御を実施してもよい。
【符号の説明】
【０１２１】
１  室内機器連携システム
２  検知器
３  調理器（外部機器）
４  換気機器（外部機器）
２６、３４、４４  操作部
２７  制御手段
５００  室内
【図１】
0006725266.tif 000002
【図２】
0006725266.tif 000003
【図３】
0006725266.tif 000004
【図４】
0006725266.tif 000005
【図５】
0006725266.tif 000006
【図６】
0006725266.tif 000007
【図７】
0006725266.tif 000008
【図８】
0006725266.tif 000009
【図９】
0006725266.tif 000010
【図１０】
0006725266.tif 000011